(57)【特許請求の範囲】
【請求項１】
回路基板を収納する収納空間と取付用ボスとを有する取付ベース部材と、
前記取付用ボスに合わせて取付座を有し、前記収納空間に収納された前記回路基板を覆うように前記取付ベース部材に止着される上蓋部材と、
前記取付座を被覆し、前記上蓋部材を覆うように結合される外蓋部材と、
から構成される回路基板ボックスを備える遊技機において、
前記回路基板ボックスは、
前記上蓋部材の天板部と前記外蓋部材の天壁部とを結合させる固着手段を備え、
前記固着手段は、
前記天壁部に形成する組込部と、前記天板部に形成する掛止穴と、前記組込部から挿入され前記掛止穴に先端が嵌まる固着部材と、を備え、
前記組込部は、
連結部を残して対称的に形成された鍵括弧状のスリットと、前記スリットの内側中央に底壁を設けた埋込部とを備えて、前記底壁に挿入口を形成するとともに、該挿入口の両側に弾性的に拡開可能なフックを設け、
前記固着部材は、
前記埋込部よりも小さく前記挿入口よりも大きく形成した基部と、該基部から突設した弾性的に収束動可能な一対の脚と、該脚の先端部に形成した戻り止めと、を備え、前記基部から前記脚の途中にかけて格子穴を有する格子状に形成され、
前記掛止穴は、
前記戻り止めの突端間の幅よりも小さく形成し、
前記固着部材を前記埋込部に差し込むと、前記格子穴に前記フックが嵌まることにより仮止めがなされるとともに、該仮止め状態の固着部材を押し込むと、前記脚の先端部が前記掛止穴に嵌まり前記戻り止めが前記掛止穴に掛止することによって、前記固着手段は前記外蓋部材と前記上蓋部材とを結合させ、
前記外蓋部材と前記上蓋部材の結合を解く場合は、前記連結部を切断することにより、前記外蓋部材を取り外せることを特徴とする遊技機。
【請求項２】
前記上蓋部材の天板部における前記掛止穴の両側には、前記埋込部の両側を囲うように、前記外蓋部材の天壁部の前記スリット近くまで立設する隔壁が形成されることを特徴とする請求項１に記載の遊技機。
【発明の詳細な説明】
【０００１】
【発明の属する技術分野】
この発明は、回路基板を収納する回路基板ボックスを備える遊技機に関する。
【０００２】
【従来の技術】
従来の遊技機、例えばパチンコ遊技機において、遊技の制御を行う遊技制御装置やその他の制御装置等は、それぞれ回路基板が基板ボックス内に収納されて、遊技機の裏面側に取付けられており、基板ボックスによって、ＩＣ（集積回路）や抵抗等の各種電気部品が多数備えられた回路基板が保護されているが、こうした基板ボックスにあっては、不正に基板ボックスを開けて、回路基板に備えられたＲＯＭ（メモリ）等の電気部品を不正に交換あるいはデータを書き換えたりする等の不正行為が行われる心配があった。
【０００３】
そこで、基板ボックスを封止する固着部（かしめ等による）を設け、基板ボックスの不正な開放を防止するようにしたものがある。この固着部は、基板ボックスの周囲側部に複数設けられており、公的機関によりＲＯＭ等を検査する際には、固着されている固着部を切り離すことによって、基板ボックスを開放できるようになっている。
【０００４】
【発明が解決しようとする課題】
しかしながら、従来例にあって、固着部は基板ボックスの周囲側部に突出して設けられているため、次のような問題がある。
【０００５】
遊技機裏面の面積は限られているが、そこに各種部品（遊技制御装置、排出制御装置、発射制御装置等）を取付けなければならないため、自ずと基板ボックスを取付けるための面積は限られてくる。そこで、基板ボックスの周囲側部に固着部が突出していると、その分、回路基板自体の大きさが制限され、回路基板を小さくしなければならないが、回路基板には多数の電気部品が備えられると共に、パターンを引かなければならないため、これらの面積が必要で、容易には小さくできないのである。
【０００６】
また、従来例は、基板ボックスを固着部によって直接閉止するようになっているが、これだと固着部が破損した場合等にも、簡単に基板ボックスが開放してしまう。また、従来例のものは、固着部を切り離すと固着部が無くなるので、基板ボックスを開放した証拠が残らないという問題がある。
【０００７】
この発明は、このような問題点を解決することを目的としている。
【０００８】
【課題を解決するための手段】
第１の発明は、回路基板を収納する収納空間と取付用ボスとを有する取付ベース部材と、前記取付用ボスに合わせて取付座を有し、前記収納空間に収納された前記回路基板を覆うように前記取付ベース部材に止着される上蓋部材と、前記取付座を被覆し、前記上蓋部材を覆うように結合される外蓋部材と、から構成される回路基板ボックスを備える遊技機において、前記回路基板ボックスは、前記上蓋部材の天板部と前記外蓋部材の天壁部とを結合させる固着手段を備え、前記固着手段は、前記天壁部に形成する組込部と、前記天板部に形成する掛止穴と、前記組込部から挿入され前記掛止穴に先端が嵌まる固着部材と、を備え、前記組込部は、連結部を残して対称的に形成された鍵括弧状のスリットと、前記スリットの内側中央に底壁を設けた埋込部とを備えて、前記底壁に挿入口を形成するとともに、該挿入口の両側に弾性的に拡開可能なフックを設け、前記固着部材は、前記埋込部よりも小さく前記挿入口よりも大きく形成した基部と、該基部から突設した弾性的に収束動可能な一対の脚と、該脚の先端部に形成した戻り止めと、を備え、前記基部から前記脚の途中にかけて格子穴を有する格子状に形成され、前記掛止穴は、前記戻り止めの突端間の幅よりも小さく形成し、前記固着部材を前記埋込部に差し込むと、前記格子穴に前記フックが嵌まることにより仮止めがなされるとともに、該仮止め状態の固着部材を押し込むと、前記脚の先端部が前記掛止穴に嵌まり前記戻り止めが前記掛止穴に掛止することによって、前記固着手段は前記外蓋部材と前記上蓋部材とを結合させ、前記外蓋部材と前記上蓋部材の結合を解く場合は、前記連結部を切断することにより、前記外蓋部材を取り外せることを特徴とする。
【０００９】
第２の発明は、前記上蓋部材の天板部における前記掛止穴の両側には、前記埋込部の両側を囲うように、前記外蓋部材の天壁部の前記スリット近くまで立設する隔壁が形成されることを特徴とする。
【００１３】
【発明の効果】
本発明では、固着手段がスペースを取ることがなく、遊技機裏面において回路基板ボックスを配置可能な領域を大きくすることができ、したがって回路基板ボックスおよび回路基板自体を大きくすることができ、回路基板の設計自由度が高まる。また、固着状態の固着手段が破壊された場合、切離部品が残るため、遊技店の店員にとって、回路基板ボックスが開放されたかどうかを分かりやすい。また、パチンコ遊技機メーカーは、工場出荷時に所定の固着手段を固着するが、遊技店に設置してからその固着手段を破壊することは通常あまりない。したがって、遊技店に設置後、検査がないにも関わらず、固着手段の破壊片が残っている場合、不正な行為が行われたと認識できる。また、回路基板ボックスを組立てる場合、外蓋部材の天壁部の各固着手段の組込部に、予め固着部材を仮止めすることができる。
【００１８】
【発明の実施の形態】
以下、本発明の実施の形態を図面に基づいて説明する。
【００１９】
図１は遊技機（パチンコ遊技機）１の裏側を示すもので、機前面枠のフレーム２内に取付けられる遊技盤（図示されない）の裏面側には、各入賞装置に入賞した入賞球を案内する入賞球集合カバー（図示されない）、可変表示装置を制御する表示制御装置３、遊技盤ならびに機前面枠の装飾用のランプ等を制御する装飾制御装置４、音制御装置５、盤用外部出力基板（遊技盤側からのセンサ等の信号出力用）６、電源中継基板７等が取り付けられ、これらは保護カバー８によって覆われる。
【００２０】
機前面枠の裏面側には、フレーム２裏面に取付けられる裏機構盤１０の上部に外部から電源を取り入れるターミナル基板１１、枠用外部出力基板（各制御装置等からの信号出力用ならびに遊技店の管理装置からの信号受信用）１２、遊技店の島設備の球を貯留する球貯留タンク１３、球貯留タンク１３の球を樋ユニット部１４に整列誘導する流下樋１５が取り付けられる。
【００２１】
裏機構盤１０の右側には樋ユニット部１４の球を機前面の上皿、下皿に払い出す球排出ユニット（排出装置）１６が、裏機構盤１０の左側には各制御装置等に電源を供給する電源装置１７が取り付けられる。
【００２２】
裏機構盤１０の下部には、右側に球排出ユニット１６を制御する排出制御装置１８が、中央から左側に遊技の制御を統括的に行う遊技制御装置２０が、遊技制御装置２０の直ぐ下方に打球発射装置を制御する発射制御装置２１が取り付けられる。
【００２３】
なお、２２はカード球貸しユニット、２３はカード球貸しユニット用基板である。
【００２４】
遊技制御装置２０の回路基板ボックス２４は、図２〜図８のようにその回路基板２５の収納空間が形成される取付ベース部材２６と、上蓋部材２７と、外蓋部材２８等から構成される。
【００２５】
回路基板２５には、多数の電気部品が備えられ、一側に入出力用のコネクタ部３０が設けられる。回路基板２５の電気部品配置側のほぼ中央には、ＣＰＵ、ＲＯＭ、ＲＡＭ等を内蔵したワンチップのＩＣ（またはＲＯＭ）３１が設けられ、その電気部品配置側の左右の縁部付近には、取付ベース部材２６の係止部３４（後述する）に対応してビス孔３２が形成される。
【００２６】
取付ベース部材２６は、周壁に所定深さに段部（載置部）３３が設けられ、段部３３に回路基板２５が載置される。取付ベース部材２６の底部には、所定の位置（４カ所）に回路基板２５を支承する係止部３４が立設され、係止部３４の中央に貫通孔３５が設けられる。取付ベース部材２６の左右の周壁には、４カ所に外壁部に沿って上蓋部材取付用ボス３６が立設される。
【００２７】
上蓋部材２７は、透明の樹脂からなり、回路基板２５つまり取付ベース部材２６の開口部を覆うと共に、取付ベース部材２６の上蓋部材取付用ボス３６ならびに取付ベース部材２６の周壁を囲うように形成される。
【００２８】
上蓋部材２７の回路基板２５のコネクタ部３０側の覆い部３７には、配線コネクタ接続用の開口部３８が形成される。この覆い部３７の高さは、回路基板２５に近接する高さに形成される。
【００２９】
上蓋部材２７の回路基板２５の電気部品配置側の天板部４０には、左右の周縁部に、取付ベース部材２６の上蓋部材取付用ボス３６に合わせて取付座４１が半円状に突出され、上蓋部材取付用ボス３６を囲う部位の上蓋部材２７の周壁は半柱状に形成される。取付座４１には、上蓋部材取付用ボス３６のビス螺着孔４２に対応して、上蓋部材２７を取付ベース部材２６にビス４３を介して止着するためのビス孔４４が形成される。ビス４３はビス頭部が天板部４０より突出しないさら状のものが用いられる。
【００３０】
天板部４０の内側には、取付ベース部材２６の係止部３４に対応する位置（４カ所）に、回路基板２５を支承する係止部４５が突設される。係止部４５は、上蓋部材２７を取付ベース部材２６に止着した状態において、回路基板２５との間にわずかな隙間が空く長さに形成され、係止部４５の中央に貫通孔４６が設けられる。
【００３１】
天板部４０の表側には、天板部４０の周縁部のいくらか内側に、外蓋部材２８の位置決めを兼ねる所定高さの防護壁４７が全周にわたり立設され、天板部４０の中央部（中央段部）４８はその防護壁４７の高さに形成される。この天板部４０の中央段部４８に、回路基板２５のワンチップＩＣ（またはＲＯＭ）３１の着脱用の開口部５０が設けられる。また、中央段部４８の左右下部に隔壁５１が設けられ、防護壁４７内の左右に凹室５２が形成される。
【００３２】
外蓋部材２８は、透明の樹脂からなり、上蓋部材２７の天板部４０の防護壁４７を囲い、天板部４０を覆うように形成される。
【００３３】
外蓋部材２８の天壁部５３の内側には、上蓋部材２７の係止部４５に対応する位置（４カ所）に、係止部４５の貫通孔４６につながる貫通孔５４が設けられたガイド部５５が突設される。ガイド部５５は上蓋部材２７の天板部４０の防護壁４７の内側に嵌入する径に形成される。天壁部５３の内側の中央部には、上蓋部材２７の天板部４０の開口部５０に嵌まる凸部５６が形成される。
【００３４】
外蓋部材２８の周壁端は、上蓋部材２７の天板部４０の周縁部に当接するように形成され、周壁端の天板部４０の取付座４１に対応する部位には、取付座４１に合わせて半円状のカバー部５７が突設される。このカバー部５７の強度を高めるために、外蓋部材２８の周壁からカバー部５７にかけてリブを形成しても良い。
【００３５】
なお、外蓋部材２８のガイド部５５は上蓋部材２７の天板部４０に、天板部４０の防護壁４７は外蓋部材２８の天壁部５３にほぼ当接するように形成される。
【００３６】
そして、この上蓋部材２７の天板部４０と外蓋部材２８の天壁部５３との間に、天板部４０の左右の凹室５２側の位置にて、不正開放防止用の複数の固着手段５８が設けられる。
【００３７】
固着手段５８は、図９〜図１１のように外蓋部材２８の天壁部５３に形成される組込部６０と、固着部材６１と、上蓋部材２７の天板部４０に形成される掛止穴６２から構成される。
【００３８】
組込部６０は、両端に所定幅の連結部６３を残して対称的に鍵括弧状のスリット６４が切欠形成され、スリット６４の内側中央に埋込部６５が、埋込部６５の底壁に挿入口６６が形成される。スリット６４の両端の連結部６３の厚さは、外蓋部材２８の天壁部５３等の厚さよりも厚く（連結部６３の周辺部の厚さも厚くする）、かつニッパ等で切断可能な厚さに形成される。挿入口６６の両側には、埋込部６５の上辺部から弾性的に拡開可能なフック６７が延設される。
【００３９】
固着部材６１は、基部６８の裏面に一対の脚７０が突設され、基部６８から脚７０の途中にかけて格子状に形成される。基部６８は前記埋込部６５の開口面積よりもいくらか小さく形成され、弾性的に収束動可能な一対の脚７０の先端部には両側にガイド７１ならびに戻り止め７２が形成される。
【００４０】
掛止穴６２は、自由状態にある前記一対の脚７０のガイド７１の先端間の幅よりも大きく、同じく戻り止め７２の突端間の幅よりも小さく形成される。
【００４１】
上蓋部材２７の天板部４０には、前記埋込部６５の両側を囲うように、掛止穴６２の両側に外蓋部材２８の天壁部５３の前記スリット６４近くまで隔壁７３が立設される。
【００４２】
固着部材６１の脚７０の先端側を埋込部６５の挿入口６６に差し込み、固着部材６１を押すと、脚７０の格子穴に埋込部６５のフック６７が嵌まり、固着部材６１が図１０、図１１の状態に仮止めされる。仮止めされると、固着部材６１は取り外せず、基部６８は埋込部６５内に埋没される。
【００４３】
外蓋部材２８の天壁部５３の表面には、図２のように、各固着手段５８の近傍に、公的機関による回路基板２５のＩＣ３１等の検査時に関わる封印、開放の順位を示す数字等の識別符号の表示が施される。なお、識別符号に合わせて、それぞれ異なる識別符号の固着部材６１の色を変えるようにしても良い。
【００４４】
そして、図１、図２、図６〜図８のように、この回路基板ボックス２４を裏機構盤１０の取付台８０に取付ける取付補助部材８１が設けられる。
【００４５】
取付補助部材８１は、導電性を有する板状部材により形成され、回路基板ボックス２４の取付ベース部材２６の係止部３４の貫通孔３５に対応する位置に、軸部８２の外径が係止部３４の貫通孔３５に嵌まる大きさに形成されると共に、軸方向に貫通する雌ネジ孔８３が形成される金属製の導通部材８４が、ビス８５により固定される。
【００４６】
取付補助部材８１の外周部には、取付ベース部材２６の周囲を囲う起立壁８７が形成されると共に、複数のフランジ部にワンタッチ式の取付部材８６が遊嵌される。取付部材８６は、ワンタッチの簡単な手作業で止着が可能な周知の取付具で、挿入端部を取付台８０の装着孔に挿入して押し込むと係止し、逆に手前に引っ張ると挿入端部が装着孔から引き抜かれ、取り外される。
【００４７】
次に、この回路基板ボックス２４の組立て、遊技機への組付け、回路基板ボックス２４の開放について説明する。
【００４８】
回路基板ボックス２４を組立てる場合、予め外蓋部材２８の天壁部５３の各固着手段５８の組込部６０に図１０、図１１のように固着部材６１をそれぞれ仮止めしておく。
【００４９】
取付ベース部材２６の段部３３、底部の係止部３４上に回路基板２５を置いて、取付ベース部材２６に上蓋部材２７を合わせ、上蓋部材２７の天板部４０の取付座４１のビス孔４４にビス４３を差し込み、取付ベース部材２６の上蓋部材取付用ボス３６のビス螺着孔４２に止着して、上蓋部材２７を取付ベース部材２６に取付ける。
【００５０】
上蓋部材２７に外蓋部材２８をかぶせ、外蓋部材２８の天壁部５３の所定の固着手段５８を固着する。最初のときは、識別符号[１]の１組の固着手段５８を固着する。この場合、上蓋部材２７の取付ベース部材２６への止着手段（ビス４３）は、外蓋部材２８の周壁端および取付座４１に合わせて外蓋部材２８の周壁端に半円状に突設されたカバー部５７によって被覆されると共に、仮止めしてある固着部材６１を押し込むと、脚７０の先端部が上蓋部材２７の天板部４０の掛止穴６２に嵌まり、図１２、図１３のように戻り止め７２が掛止穴６２に掛止することによって、外蓋部材２８が上蓋部材２７に結合される。
【００５１】
取付ベース部材２６の係止部３４の貫通孔３５に、取付補助部材８１に固定した導通部材８４の軸部８２を挿入すると共に、外蓋部材２８のガイド部５５の貫通孔５４から上蓋部材２７の係止部４５の貫通孔４６に基板止着用ビス７５を挿入して、回路基板２５のビス孔３２を通して導通部材８４の雌ネジ孔８３に止着する。これによって、回路基板２５が固定され、回路基板２５のグランド部が導通部材８４を介して取付補助部材８１と導通してグランド面積が拡大されると共に、回路基板ボックス２４が取付補助部材８１に取付けられる。
【００５２】
なお、取付補助部材８１への取付けは、取付ベース部材２６に上蓋部材２７を取付ける前、あるいは取付ベース部材２６に取付けた上蓋部材２７に外蓋部材２８を取付ける前に行っても良い。
【００５３】
そして、取付補助部材８１に設けた取付部材８６の挿入端部を、遊技機の裏機構盤１０の取付台８０の装着孔に係止させて、回路基板ボックス２４と共に取付補助部材８１を裏機構盤１０に組付ける。
【００５４】
一方、公的機関の回路基板２５のＩＣ３１等の検査時は、遊技機の裏機構盤１０の取付台８０から取付補助部材８１ごと回路基板ボックス２４を外し、外蓋部材２８の天壁部５３の固着手段５８を固着してある組込部６０のスリット６４の両端の連結部６３を切断する。これによって、外蓋部材２８と上蓋部材２７の結合が解かれ、外蓋部材２８を外せると共に、この場合固着部材６１の脚７０の先端部が上蓋部材２７の天板部４０の掛止穴６２に掛止しているので、固着部材６１ならびにスリット６４の内側中央の埋込部６５の部分がそのまま痕跡として残る。
【００５５】
そして、取付ベース部材２６に上蓋部材２７を取付けているビス４３を外せば、上蓋部材２７が開放する。
【００５６】
なお、遊技機の裏機構盤１０の取付台８０に取付補助部材８１を介して回路基板ボックス２４を組付けたまま、外蓋部材２８の天壁部５３の固着状態の固着手段５８を破壊（スリット６４の両端の連結部６３を切断）することもできる。また、この組付け状態のまま、外蓋部材２８、上蓋部材２７のガイド部５５、係止部４５の貫通孔５４,４６から基板止着用ビス７５を外せば、回路基板ボックス２４のみを外せる。
【００５７】
このように構成してあり、回路基板ボックス２４の不正開放防止用の複数の固着手段５８を、回路基板２５の板面上方位置の上蓋部材２７の天板部４０と外蓋部材２８の天壁部５３との間、即ち回路基板ボックス２４の表面（取付補助部材８１の取付部位の反対側）領域内に設けたので、固着手段５８が余分なスペースを取ることがなく、遊技機裏面において回路基板ボックス２４を配置可能な領域を大きくすることができる。したがって、回路基板ボックス２４を相対的に大きくすることができると共に、回路基板２５自体を大きくすることができ、回路基板２５の設計自由度が高まる。
【００５８】
また、回路基板２５を載置する取付ベース部材２６に上蓋部材２７を止着手段（ビス４３）によって止着すると共に、その止着手段を外蓋部材２８によって被覆するため、回路基板ボックス２４が不正に開放されることはない。この場合、外蓋部材２８の周壁端に形成された半円状のカバー部５７が切り取られても、外蓋部材２８の周壁端によって止着手段の被覆状態が維持されるため、止着手段が外されることはなく、回路基板ボックス２４の不正な開放を確実に防止できる。また、固着手段５８が破損したり、破壊されただけで、上蓋部材２７が開放してしまうことはない。また、固着手段５８を破壊されたとしても、さらに止着手段を外さないと、回路基板２５自体を取り外せないため、回路基板２５への不正操作を確実に防止できる。
【００５９】
また、固着状態の固着手段５８が破壊された場合、固着部材６１ならびにスリット６４の内側中央の埋込部６５の部分がそのまま痕跡として残る。このため、遊技店の店員にとって、回路基板ボックス２４が開放されたかどうかを分かりやすい。一般に、パチンコ遊技機メーカーは、工場出荷時に所定の固着手段５８を固着するが、遊技店に設置してからその固着手段５８を破壊することは通常あまりない。したがって、遊技店に設置後、検査がないにも関わらず、固着手段５８の破壊片が残っている場合、不正な行為が行われたと認識しやすい。
【００６０】
一方、公的機関によって回路基板２５のＩＣ（またはＲＯＭ）３１等を検査する際は、回路基板ボックス２４の固着手段５８を固着してある組込部６０のスリット６４の両端の連結部６３を切断すれば、外蓋部材２８を外せ、取付ベース部材２６に上蓋部材２７を取付けている止着手段を外せば、上蓋部材２７が開放するが、この場合上蓋部材２７の天板部４０の中央段部４８に回路基板２５のＩＣ３１の着脱用の開口部５０を設けてあるため、外蓋部材２８を外しただけで、そのＩＣ３１の取り外しが可能である。したがって、ＩＣ３１の記憶データ等の検査を容易に行える。
【００６１】
また、上蓋部材２７に外蓋部材２８を設けて回路基板ボックス２４を封印しているので、これらを透明樹脂により形成していても内部全体は見にくいが、上蓋部材２７の天板部４０の開口部５０は外蓋部材２８のみのため、他の部分と比べてその開口部５０の部分から内部を視認しやすく、そのため万が一不正に回路基板２５の電気部品が交換された場合でも、その開口部５０の部分から電気部品が交換されたことを発見しやすいのである。
【００６２】
また、検査時等にスリット６４の両端の連結部６３を切断して固着手段５８を切り離した部分は開口穴となるが、その下方は隔成された凹室５２となっており、また天板部４０の開口部５０は高位置の中央段部４８にあるので、例えばその開口穴から開口部５０内に針金等を差し込むようなことを防止できる。
【００６３】
遊技制御装置２０は、遊技を統括的に制御するものであるため、回路基板２５のＩＣ（またはＲＯＭ）３１を交換、あるいはＩＣ３１の記憶データを書き換えて、大当たりを頻繁に発生させる等の不正行為が行われやすいが、このような回路基板ボックス２４に回路基板２５を収納したため、これらの不正行為を確実に防止でき、また万が一不正行為が行われた場合でも、速やかに発見でき、したがって高い信頼性を確保できる。
【００６４】
また、固着手段５８の上蓋部材２７の天板部４０の掛止穴６２ならびに外蓋部材２８の天壁部５３のスリット６４は、放熱孔としても機能する。
【００６５】
また、遊技機の裏機構盤１０に取付補助部材８１および回路基板ボックス２４を組付けたまま、外蓋部材２８、上蓋部材２７のガイド部５５、係止部４５の貫通孔５４,４６から基板止着用ビス７５を外せば、回路基板ボックス２４のみを外せるので、回路基板ボックス２４の裏面から内部の様子を視認する場合、簡単に行え、点検性が良い。
【００６６】
なお、実施の形態では、遊技制御装置２０の回路基板ボックスに適用した例を示したが、遊技プログラムを記憶したＩＣと同じような重要部品を持つものであれば、これに限定することなく適用できる。また、回路基板ボックスは、一つの遊技制御装置だけでなく、排出制御装置あるいはその他の制御装置を収納するものであって良い。
【００６７】
また、遊技機としてパチンコ遊技機に適用した例を示したが、その他の遊技機、例えばパチスロ、アレンジボール等の遊技機にも適用できる。
【００６８】
今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【図面の簡単な説明】
【図１】遊技機の裏面図である。
【図２】回路基板ボックスの正面（表面）図である。
【図３】回路基板ボックスの外蓋部材を外した正面図である。
【図４】回路基板ボックスの外蓋部材、上蓋部材を外した正面図である。
【図５】回路基板ボックスの側断面図である。
【図６】図２のＡ−Ａ線断面図である。
【図７】図２のＢ−Ｂ線断面図である。
【図８】図２のＣ−Ｃ線断面図である。
【図９】固着手段部分の固着部材を取付ける前の正面図である。
【図１０】固着部材の仮止め状態図である。
【図１１】固着部材の仮止め状態図である。
【図１２】固着部材の固着状態図である。
【図１３】固着部材の固着状態図である。
【符号の説明】
１  遊技機
１０  裏機構盤
１８  排出制御装置
２０  遊技制御装置
２４  回路基板ボックス
２５  回路基板
２６  取付ベース部材
２７  上蓋部材
２８  外蓋部材
３０  コネクタ部
３１  ＩＣ（またはＲＯＭ）
３４  係止部
３６  上蓋部材取付用ボス
３７  覆い部
４０  天板部
４１  取付座
４３  ビス
４５  係止部
４７  防護壁
４８  中央段部
５０  開口部
５２  凹室
５３  天壁部
５７  カバー部
５８  固着手段
６１  固着部材
６２  掛止穴
６３  連結部
６４  スリット
６５  埋込部
６７  フック
６８  基部
７０  脚
８１  取付補助部材
８４  導通部材
８６  取付部材
【図１】
0004132521.tif 000002
【図２】
0004132521.tif 000003
【図３】
0004132521.tif 000004
【図４】
0004132521.tif 000005
【図５】
0004132521.tif 000006
【図６】
0004132521.tif 000007
【図７】
0004132521.tif 000008
【図８】
0004132521.tif 000009
【図９】
0004132521.tif 000010
【図１０】
0004132521.tif 000011
【図１１】
0004132521.tif 000012
【図１２】
0004132521.tif 000013
【図１３】
0004132521.tif 000014